(57)【要約】  【課題】  光ディスクの記録面を汚さず、かつ記録と印刷とを短時間で完了させる。  【解決手段】  情報の記録が実行される記録室８１と、印刷が実行される印刷室８０と、記録室８１にあって情報の記録を行う光ヘッド３０と、光ヘッド３０および光ディスク２０の少なくともいずれか一方を、相対的に光ディスク２０のラジアル方向に駆動する第１駆動手段と、光ディスク２０を回転させるモータ３１と、印刷室８０にあって印刷を行う印刷ヘッド３５と、光ディスク２０をその平面内の一方向に駆動する第２駆動手段と、第２駆動手段による駆動方向と同一平面内で直角の方向に印刷ヘッド３５を往復駆動する第３駆動手段と、光ヘッド３０、第１駆動手段、モータ３１、印刷ヘッド３５、第２駆動手段および第３駆動手段の各処理動作を制御する制御手段と、記録室８１と印刷室８０とを隔てる隔壁８２とを備えた光ディスク処理装置とする。【選択図】  図４
2005251325.tif 000002
【特許請求の範囲】
【請求項１】
光ディスクへの情報の記録と当該情報を記録する記録面の反対側のラベル面への印刷とを行う光ディスク処理装置であって、
上記情報の記録が実行される記録室と、
上記印刷が実行される印刷室と、
上記記録室にあって上記情報の記録を行う光ヘッドと、
上記光ヘッドおよび上記光ディスクの少なくともいずれか一方を、相対的に上記光ディスクのラジアル方向に駆動する第１駆動手段と、
上記光ディスクを回転させるモータと、
上記印刷室にあって上記印刷を行う印刷ヘッドと、
上記光ディスクをその平面内の一方向に駆動する第２駆動手段と、
上記第２駆動手段による駆動方向と同一平面内で直角の方向に上記印刷ヘッドを往復駆動する第３駆動手段と、
上記光ヘッド、上記第１駆動手段、上記モータ、上記印刷ヘッド、上記第２駆動手段および上記第３駆動手段の各処理動作を制御する制御手段と、
上記記録室と上記印刷室とを隔てる隔壁と、
を備えることを特徴とする光ディスク処理装置。
【請求項２】
前記印刷室内の気圧よりも前記記録室内の気圧を高くするための気圧上昇手段を、さらに備えることを特徴とする請求項１記載の光ディスク処理装置。
【請求項３】
光ディスクへの情報の記録と当該情報を記録する記録面の反対側のラベル面への印刷とを行う光ディスク処理装置であって、
上記情報の記録が実行されると共に、上記印刷が実行される処理室と、
上記情報の記録を行う光ヘッドと、
上記光ヘッドおよび上記光ディスクの少なくともいずれか一方を、相対的に上記光ディスクのラジアル方向に駆動する第１駆動手段と、
上記光ディスクを回転させるモータと、
上記印刷を行う印刷ヘッドと、
上記光ディスクをその平面内の一方向に駆動する第２駆動手段と、
上記第２駆動手段による駆動方向と同一平面内で直角の方向に上記印刷ヘッドを往復駆動する第３駆動手段と、
上記光ヘッド、上記第１駆動手段、上記モータ、上記印刷ヘッド、上記第２駆動手段および上記第３駆動手段の各処理動作を制御する制御手段と、
上記処理室において上記印刷が実行される上記処理室内の印刷エリアの気圧よりも上記情報の記録が実行される上記処理室内の記録エリアの気圧を高くする気圧上昇手段と、
を備えることを特徴とする光ディスク処理装置。
【請求項４】
前記印刷室から前記記録室に、若しくは前記記録室から前記印刷室に前記光ディスクを搬送する光ディスク搬送手段を、さらに備えることを特徴とする請求項１から３のいずれか１項記載の光ディスク処理装置。
【請求項５】
前記印刷が実行された光ディスクを乾燥する乾燥室を、さらに備えることを特徴とする請求項１から３のいずれか１項記載の光ディスク処理装置。
【請求項６】
前記印刷室、前記記録室、前記乾燥室の順、前記印刷室、前記乾燥室、前記記録室の順、または前記記録室、前記印刷室、前記乾燥室の順に、前記光ディスクを循環搬送する光ディスク循環搬送手段を、さらに備えることを特徴とする請求項５記載の光ディスク処理装置。
【請求項７】
前記制御手段は、前記ラベル面への印刷中に、前記記録面への記録のための情報の受付あるいは編集の実行を行うことを特徴とする請求項１から６のいずれか１項記載の光ディスク処理装置。
【請求項８】
前記制御手段は、前記記録面への記録中に、前記印刷面への印刷のための情報の受付あるいは編集の実行を行うことを特徴とする請求項１から６のいずれか１項記載の光ディスク処理装置。
【請求項９】
前記光ディスクへの印刷により発生するインクミストから前記光ヘッドを保護するための光ヘッド保護手段を、さらに備えることを特徴とする請求項１から８のいずれか１項記載の光ディスク処理装置。
【発明の詳細な説明】
【技術分野】
【０００１】
本発明は、光ディスクへの情報の記録と当該情報を記録する記録面の反対側のラベル面への印刷とを行う光ディスク処理装置に関する。
【背景技術】
【０００２】
最近では、単に記録済みの情報を再生するだけではなく、情報を記録することが可能な光ディスクが普及している。このような光ディスクの情報記録面と反対側のラベル面にユーザが所望する印刷を行うことができるように、光ディスクに印刷可能な印刷装置が市場に出てきている。本出願人は、情報の記録と情報の印刷とを１台で実行できる光ディスク処理装置の発明について、既に提案している（例えば、特許文献１参照）。
【０００３】
【特許文献１】特開平９−２６５７６０号公報（特許請求の範囲、要約書）
【発明の開示】
【発明が解決しようとする課題】
【０００４】
ところで、ディジタルカメラ、カメラ付き携帯電話の急速な普及に伴い、情報の配信手法にも変化が見られるようになってきている。以前では、画像データを写真として手渡したり、あるいはデータの配信によって他人に渡していた。しかし、最近では、情報記録可能な光ディスクの価格が低下し、画像データを当該光ディスクに記録して渡す方が安価なこともある。
【０００５】
かかる状況となると、例えば、旅先の観光地で写した写真を光ディスクに記録すると同時に、写真の一部あるいはその場で加工した画像をラベル面に印刷できるようにし、おみやげ、贈り物、あるいは記念品として提供するサービスも考えられる。
【０００６】
この際、情報の記録と印刷を１台で実行できる先の発明を利用して、上記サービスを実現することもできるが、さらに高品質の光ディスクを提供することが望まれている。
【０００７】
本発明は、上記の事情に基づきなされたものであり、光ディスクに高品質で、記録および印刷できる光ディスク処理装置を提供することを目的とする。
【課題を解決するための手段】
【０００８】
上述の目的を達成するため、本発明は、光ディスクへの情報の記録と当該情報を記録する記録面の反対側のラベル面への印刷とを行う光ディスク処理装置であって、情報の記録が実行される記録室と、印刷が実行される印刷室と、記録室にあって情報の記録を行う光ヘッドと、光ヘッドおよび光ディスクの少なくともいずれか一方を、相対的に光ディスクのラジアル方向に駆動する第１駆動手段と、光ディスクを回転させるモータと、印刷室にあって印刷を行う印刷ヘッドと、光ディスクをその平面内の一方向に駆動する第２駆動手段と、第２駆動手段による駆動方向と同一平面内で直角の方向に印刷ヘッドを往復駆動する第３駆動手段と、光ヘッド、第１駆動手段、モータ、印刷ヘッド、第２駆動手段および第３駆動手段の各処理動作を制御する制御手段と、記録室と印刷室とを隔てる隔壁とを備える光ディスク処理装置としている。
【０００９】
このように、印刷室と情報記録室とが物理的に分離されているため、印刷時に発生するインクミストによって、光ディスクの記録面あるいは光ヘッドの先端が汚染されたり、記録ミスが生じる危険性を低減することができる。
【００１０】
また、別の本発明は、先の発明において、印刷室内の気圧よりも記録室内の気圧を高くするための気圧上昇手段をさらに備える光ディスク処理装置としている。このため、記録室内に侵入するインクミストをさらに低減することができる。
【００１１】
また、本発明は、光ディスクへの情報の記録と当該情報を記録する記録面の反対側のラベル面への印刷とを行う光ディスク処理装置であって、情報の記録が実行されると共に、印刷が実行される処理室と、情報の記録を行う光ヘッドと、光ヘッドおよび光ディスクの少なくともいずれか一方を、相対的に光ディスクのラジアル方向に駆動する第１駆動手段と、光ディスクを回転させるモータと、印刷を行う印刷ヘッドと、光ディスクをその平面内の一方向に駆動する第２駆動手段と、第２駆動手段による駆動方向と同一平面内で直角の方向に印刷ヘッドを往復駆動する第３駆動手段と、光ヘッド、第１駆動手段、モータ、印刷ヘッド、第２駆動手段および第３駆動手段の各処理動作を制御する制御手段と、処理室において印刷が実行される処理室内の印刷エリアの気圧よりも情報の記録が実行される処理室内の記録エリアの気圧を高くする気圧上昇手段とを備える光ディスク処理装置としている。
【００１２】
このため、印刷する部屋と記録を行う部屋が完全に分離されていない場合であっても、記録を行う空間の気圧を高め、記録を行う記録エリアから印刷を行う印刷エリアに向かって気流を形成することにより、インクミストが記録エリアに侵入することを低減することができる。
【００１３】
また、別の本発明は、先の発明において、印刷室から記録室に、若しくは記録室から印刷室に光ディスクを搬送する光ディスク搬送手段をさらに備える光ディスク処理装置としている。このため、印刷室と記録室との間で光ディスクを搬送して印刷あるいは記録処理を行うことになるので、記録時におけるインクミストによる影響をより低減できる。印刷室と記録室とを水平方向に配置すると、光ディスクを固定したまま印刷と記録とを行うことが難しくなる。かかる場合には、印刷あるいは記録のどちらか一方の処理を行った後、光ディスク搬送手段によって光ディスクをその面に対して水平の方向に搬送させ、別の部屋にて記録あるいは印刷のどちらか他方を行うことができる。
【００１４】
また、別の本発明は、先の発明において、印刷が実行された光ディスクを乾燥する乾燥室をさらに備える光ディスク処理装置としている。このため、ラベル面を完全に乾燥させてから排出することができる。
【００１５】
また、別の本発明は、先の発明において、印刷室、記録室、乾燥室の順、印刷室、乾燥室、記録室の順、または記録室、印刷室、乾燥室の順に、光ディスクを循環搬送する光ディスク循環搬送手段をさらに備える光ディスク処理装置としている。このため、複数の光ディスクを上記のいずれかの順で同時処理することができる。
【００１６】
また、別の本発明は、先の発明において、制御手段が、ラベル面への印刷中に、記録面への記録のための情報の受付あるいは編集の実行を行う光ディスク処理装置としている。このように、印刷中に記録の準備ができるので、印刷および記録のトータルの処理時間を短縮することができる。
【００１７】
また、別の本発明は、先の発明において、制御手段が、記録面への記録中に、印刷面への印刷のための情報の受付あるいは編集の実行を行う光ディスク処理装置としている。このように、記録中に印刷の準備ができるので、印刷および記録のトータルの処理時間を短縮することができる。
【００１８】
また、別の本発明は、先の発明において、光ディスクへの印刷により発生するインクミストから光ヘッドを保護するための光ヘッド保護手段をさらに備える光ディスク処理装置としている。このため、印刷中に、インクミストから光ヘッドの先端を保護することができ、正常な記録処理を、長期間にわたって実行することができる。
【発明を実施するための最良の形態】
【００１９】
以下、本発明に係る光ディスク処理装置１の各実施の形態について、図面を参照して説明する。
【００２０】
（第１の実施の形態）  
まず、第１の実施の形態の光ディスク処理装置１について説明する。
【００２１】
図１は、第１の実施の形態の光ディスク処理装置１の外観斜視図である。
【００２２】
この光ディスク処理装置１は、光ディスクに対して、画像データ等を記録し、かつ画像あるいは文字等を印刷できる装置である。この光ディスク処理装置１は、下本体部２と、当該下本体部２の上面の一部に載置される上本体部３とからなる。上本体部３には、ディスプレイ４が備えられている。このディスプレイ４は、ユーザに各種操作を促すメッセージの表示、印刷あるいは記録対象となる画像データ等の表示を行う部分である。
【００２３】
下本体部２の上面の空きスペースには、入力部５と入力ペン６とが備えられている。入力部５は、キーボードとポインティングデバイスを備えた部分であり、文字等の入力および編集、あるいはディスプレイ４に表示された選択肢の指示等が可能である。また、入力ペン６は、入力部５に併設されたモニタ（図示省略）の表面に筆圧を加えるためのものであり、ディスプレイ４に表示された画像データ等に、さらに所望の模様を追記するために用いることができる。
【００２４】
下本体部２の正面には、ディスク装填口７が配置されている。また、下本体部２におけるディスク装填口７の裏側には、ディスク処理部８が備えられている。ディスク装填口７から挿入された光ディスクは、ディスク処理部８においてデータの記録、印刷等の処理を施される。また、ディスク処理部８の下方には、電気回路を配置した電気回路配置部９が備えられている。光ディスク処理装置１は、その電気回路配置部９における制御の下で各種の動作を行う。
【００２５】
下本体部２の上面における入力部５と左右反対側の角には、外部機器をセットするための凹状のスペースが設けられている。当該凹状のスペースには、携帯電話等の電子機器を接続する各種ポートを配置した接続ポート部１０と、画像データ等の情報を格納した情報記録媒体を装填するための装填口１１とが備えられている。
【００２６】
図２は、光ディスク処理装置１の内部構造を説明するための図である。
【００２７】
光ディスク処理装置１のディスク処理部８には、光ディスク２０を保持し、ディスク装填口７から出入駆動されるディスクトレイ２１が設けられている。ディスクトレイ２１には光ディスク２０よりも若干大きめの凹部２２が設けられており、装置内部に送られた光ディスク２０は、その凹部２２内で回転できるようになっている。また、凹部２２の底部には種々の形状を呈する貫通孔があけられており、その貫通孔の裏側から光ディスク２０にモータの軸を固定し、光ヘッドのレーザを照射することによって、画像データ等のデータの記録（書き込み）と再生を実現できるようになっている。
【００２８】
また、ディスクトレイ２１は、第２駆動手段であるトレイ駆動モータ２３のギア２４と噛み合う駆動ギア２５の軸２６に連接されており、トレイ駆動モータ２３の正逆双方向の回転によって、ディスク装填口７から出たり、あるいはその内部に入る。  
【００２９】
ディスク処理部８には、第１駆動手段としての送りモータ２７と、その送りモータ２７の軸に固定されたリードスクリュー２８と、そのリードスクリュー２８と平行に配置された軸２９と、リードスクリュー２８に固定されると共に軸２９を貫通させた光ヘッド３０と、光ディスク２０を回転させるためのモータであるスピンドルモータ３１とが備えられている。なお、上記構成部２７，２８，２９，３０，３１は、光ディスク２０の記録面（図２における紙面裏側の面）より下方に配置されているため、図２では点線で図示されている。
【００３０】
送りモータ２７の回転によってリードスクリュー２８が回転すると、光ヘッド３０は、リードスクリュー２８に導かれながら軸２９に沿って、図２における左右双方向に移動する。光ヘッド３０は、光ディスク２０の径方向に移動可能な位置で、かつ光ディスク２０の記録面にレーザ出射口を近接させる位置に配置されている。したがって、画像データ等を記録面に記録する際には、スピンドルモータ３１によって光ディスク２０を回転させながら、光ヘッド３０を光ディスク２０の径方向に移動させる。
【００３１】
また、光ディスク２０のラベル面（図２における紙面表側の面）の側には、キャリッジ３２が配置されている。キャリッジ３２には、印刷ヘッドユニット３３が備えられている。その印刷ヘッドユニット３３には、カートリッジユニット３４と、印刷ヘッド３５とが備えられている。その印刷ヘッド３５の光ディスク２０の側には、光学センサ３６が備えられている。カートリッジユニット３４には、各種のインクカートリッジ３７が取り付けられている。
【００３２】
印刷ヘッド３５には、インク吐出箇所としてのノズルが光ディスク２０の搬送方向、すなわち図２における上下方向（この方向を「副走査方向」という。）に列状に配置され、それぞれの色のインクに対応したノズル列が形成されている。当該ノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００３３】
この実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴が光ディスク２０の表面に出射されることにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００３４】
光学センサ３６は、光ディスク２０に対して光を投射するための光源（例えば、ＬＥＤ（Light Emitting Diode））と、光ディスク２０からの反射光を電気信号に変換するための検出部（例えば、フォトダイオード）によって構成されている。光学センサ３６によって光ディスク３６の位置を読み取ることにより、所望の位置に画像を印刷することができる。
【００３５】
インクカートリッジ３７は、それぞれダークイエロー（ＤＹ）、ライトマゼンダ（ＬＭ）、ライトシアン（ＬＣ）、ブラック（Ｋ）、シアン（Ｃ）、マゼンタ（Ｍ）およびイエロー（Ｙ）の各インクを収納したカートリッジである。なお、インクカートリッジ３７は、上述の７色のインクに限定されず、５色あるいは１色のインクを入れたカートリッジであっても良い。
【００３６】
キャリッジ３２を図２における左右方向（この方向を「主走査方向」という。）に駆動する主走査駆動機構は、キャリッジ３２を貫く摺動軸３８と、第３駆動手段であるキャリッジモータ３９と、そのキャリッジモータ３９の軸に固定されたプーリ４０と、プーリ４０と所定の距離だけ離れて配置されるプーリ４２と、プーリ４０とプーリ４２との間に回転可能に張設される無端の駆動ベルト４１とから構成される。キャリッジ３２は、キャリッジモータ３９の回転によって、摺動軸３８に沿って移動する。光ディスク２０のラベル面に印刷する際には、光ディスク２０は、副走査方向に移動しながら、キャリッジ３２は、主走査方向に移動する。
【００３７】
図１に示す装填口１１の裏側には、データ入出ユニット４３が備えられている。データ入出ユニット４３内の装填エリア４４にカード形状の情報記録媒体４５を装填することによって、その内部の情報を光ディスク処理装置１に受け渡したり、その逆に、光ディスク処理装置１の情報を情報記録媒体４５に受け渡すことができる。また、接続ポート部１０には、携帯電話等の外部機器と接続するための各種接続ポート４６，４７が備えられている。
【００３８】
また、光ディスク処理装置１には、カメラ４８が備えられている。このカメラ４８は、ユーザの顔写真等を撮影するためのものであり、ディスプレイ４の裏側あるいは装置外部に取り付けられている。このため、カメラ４８で撮影した画像データを光ディスク２０のラベル面に印刷することができる。
【００３９】
光ディスク処理装置１の電気回路配置部９には、制御手段である制御回路５０が備えられている。制御回路５０は、上述の各種モータ２３，２７，３１，３９、光ヘッド３０、光学センサ３６、キャリッジ３２、ディスプレイ４、入力部５、データ入出ユニット４３、各種接続ポート４６，４７、カメラ４８、および後述の各種ファン等と電気的に接続されている。これらの接続対象は、制御回路５０の制御の下、各動作若しくは処理を実行する。
【００４０】
また、光ディスク処理装置１のディスク処理部８には、送気ファン５１と排気ファン５２とが備えられている。これらのファン５１，５２は、後述するように、光ディスク２０の記録面へのデータ記録の際に、印刷時に発生したインクミストが記録エリアに侵入することを防止するために備えられている気圧上昇手段である。
【００４１】
図３は、図２に示す制御回路５０を説明するための図である。
【００４２】
図３に示すように、制御回路５０は、ＣＰＵ（Central Processing Unit）６１、プログラマブルＲＯＭ（Ｐ−ＲＯＭ（Read Only Memory））６２、ＲＡＭ（Random Access Memory）６３、文字のドットマトリクスを記憶したキャラクタジェネレータ（ＣＧ（Character Generator））６４、およびＥＥＰＲＯＭ（Electronically Erasable and Programmable ROM）６５を備えた算術論理演算回路として構成されている。
【００４３】
ＣＰＵ６１は、Ｐ−ＲＯＭ６２に格納されているプログラムに従って各種演算処理を実行するとともに、光ディスク処理装置１の各部を制御する制御部である。Ｐ−ＲＯＭ６２は、ＣＰＵ６１が実行する基本的なプログラムおよびデータを格納しているメモリである。ＲＡＭ６３は、ＣＰＵ６１が実行途中のプログラムや、演算途中のデータ等を一時的に格納するメモリである。ＥＥＰＲＯＭ６５は、印刷および記録を行う処理動作のプログラムを格納したメモリである。ＣＰＵ６１は、ＥＥＰＲＯＭ６５に格納されるプログラムに基づいて、光ディスク２０の搬送、記録面へのデータの記録、ラベル面への印刷、ユーザからの選択等の指示の受付等の各種処理を実行する。
【００４４】
この制御回路５０は、さらに、外部のモータ等とのインタフェース（Ｉ／Ｆ（Interface））であるＩ／Ｆ専用回路６６と、このＩ／Ｆ専用回路６６に接続され印刷ヘッドユニット３３を駆動してインクを吐出させるヘッド駆動回路６７と、カメラ４８との間で信号を送受信するカメラ信号処理回路６８と、トレイ駆動モータ２３、送りモータ２７、スピンドルモータ３１、キャリッジモータ３９、送気ファン５１および排気ファン５２の各内部のモータ等を駆動するモータ駆動回路６９と、ＣＰＵ６１から供給された描画命令に応じて描画処理を実行して得られた画像データを映像信号に変換してディスプレイ４に出力するビデオ回路７０とを備えている。制御回路５０内部の各構成部は、通信線であるバス７１で接続され、互いにデータの送受信を可能とする。
【００４５】
また、Ｉ／Ｆ専用回路６６は、光ヘッド３０、光学センサ３６、データ入出ユニット４３および各種接続ポート４６，４７と接続されており、これらとの間でデータの送受信を行う回路となっている。
【００４６】
図４は、図１に示すディスク処理部８の内部を、光ディスク２０の横方向から見た状態を示す図である。
【００４７】
ディスク処理部８は、上下方向に、印刷室８０と記録室８１分割されている。印刷室８０は、光ディスク２０のラベル面にユーザ所望の画像データ等を印刷する処理を実行する部屋である。一方、記録室８１は、光ディスク２０の記録面に画像データ等を記録する処理を実行する部屋である。
【００４８】
印刷室８０と記録室８１とは、ディスクトレイ２１およびディスクトレイ２１の周囲を塞ぐ隔壁８２によって、物理的に分離されている。なお、図４において、光ディスク２０とディスクトレイ２１との間に隙間が図示されているが、これは図を見やすくするための隙間であって、実際には、図４に示す幅程の隙間は存在しない。また、スピンドルモータ３１のモータ軸３１ａとディスクトレイ２１との間には閉塞部材８３が配置されており、印刷室８０と記録室８１との分離をより確実にしている。
【００４９】
また、光ヘッド３０の先端の上方には、光ヘッド保護手段である光ヘッド保護部８４が設けられている。印刷室８０において印刷している間、記録面への記録は実行されないので、印刷中、光ヘッド３０は光ヘッド保護部８４の直下に停止している。このため、光ヘッド３０の先端は、光ヘッド保護部８４によって、印刷室８０から侵入してきたインクミストから保護されている。
【００５０】
また、印刷室８０には排気ファン５２が、記録室５１には送気ファン５１が、それぞれ設けられている。これらのファン５１，５２は、印刷室８０よりも記録室８１の気圧を高めるための手段である。これらのファン５１，５２によって、印刷時に発生したインクミストが記録室８１に侵入することをより確実に防止できる。
【００５１】
なお、送気ファン５１のみ、あるいは排気ファン５２のみを備えても良い。また、印刷室８０と記録室８１とが分離されているので、送気ファン５１も排気ファン５２も備えなくても、インクミストの侵入をある程度防止することが出来る。
【００５２】
光ディスク２０に印刷と記録とを行う場合、最初に、ラベル面への印刷が実行される。具体的には、装填された光ディスク２０を副走査方向に移動させながら、キャリッジ３２を主走査方向に駆動して印刷が行われる。次に、送気ファン５１と排気ファン５２とが起動され、インクミストが記録室８１から印刷室８０に向かうような状況が形成される。次に、光ヘッド３０が光ヘッド保護部８４の下から出てきて、スピンドルモータ３１を駆動しつつ、記録面への記録が行われる。
【００５３】
図５は、図４に示すディスク処理部８の変形例を示す図である。
【００５４】
図４に示す隔壁８２を設けずに１つの処理室８５とし、点線Ａより上方にある印刷エリア８０ａと、点線Ａより下方にある記録エリア８０ｂとを完全に分離しないようにしても良い。この場合でも、送気ファン５１と排気ファン５２によって、Ｆで示すような気流をつくり、記録エリア８０ｂへのインクミストの侵入を防止することができる。
【００５５】
（第２の実施の形態）
次に、第２の実施の形態の光ディスク処理装置１について説明する。なお、第２の実施の形態の光ディスク処理装置１において、第１の実施の形態の光ディスク処理装置１と共通する部分については、同じ番号を付すと共に、その説明を省略する。
【００５６】
図６は、第２の実施の形態の光ディスク処理装置１の外観斜視図である。
【００５７】
この光ディスク処理装置１には、ディスク装填口７ａとディスク取出口７ｂとが設けられている。後述のように、光ディスク２０をディスク装填口７ａから挿入すると、ディスク処理部８内部にて、ラベル面への印刷処理、光ディスク２０の搬送処理、記録面への記録処理が行われ、光ディスク２０がディスク取出口７ｂから排出される。
【００５８】
図７は、図６に示す光ディスク処理装置１内部のディスク処理部８に備えられる制御回路５０を説明するための図である。
【００５９】
図７と図３とを比較すると明らかなように、両制御回路５０の構成の大部分は共通しているが、制御している対象が相違する。具体的には、第２の実施の形態の光ディスク処理装置１の制御回路５０は、送気ファン５１および排気ファン５２の代わりに、後述の各種モータ９１〜９５を制御している。ただし、送気ファン５１および排気ファン５２を設けて、これらファン５１，５２と後述の各種モータ９１〜９５の両者を制御するようにしても良い。
【００６０】
図８は、ディスク処理部８内における光ディスク２０の移動の様子を説明するための図である。
【００６１】
図８に示すように、ディスク処理部８は、隔壁１００によって水平方向に２分割されている。隔壁１００には、光ディスク２０が印刷室１０５から記録室１０６に搬送される時（図中の矢印Ｘで示すように、一点鎖線で示す位置から実線で示す位置に搬送される時）に、光ディスク２０の押圧を受けて開く上下開閉扉１０１が設けられている。
【００６２】
図９は、図８に示す上下開閉扉１０１が開いて、光ディスク２０が搬送される状況を示す図であり、（９Ａ）は光ディスク２０が印刷室１０５に存在する状態を、（９Ｂ）は光ディスク２０が印刷室１０５から記録室１０６へと搬送される途中の状態を、それぞれ示す。
【００６３】
上下開閉扉１０１は、上扉１０１ａと下扉１０１ｂとから構成されている。上扉１０１ａおよび下扉１０１ｂは、それぞれ、図中の紙面に垂直な軸１０２および軸１０２に挿通され、隔壁１００に取り付けられている。光ディスク２０が印刷室１０５から押されて、矢印Ｘ（９Ｂに図示）の方向に移動すると、光ディスク２０の端部に押された上扉１０１ａと下扉１０１ｂは、それぞれ上方および下方に回動する。この結果、光ディスク２０は、隔壁１００を通過し、記録室１０６へと搬送される。
【００６４】
図１０は、ディスク装填口７ａからの光ディスク２０の挿入、光ディスク２０の光ディスク２０への印刷、印刷室１０５から記録室１０６への搬送、光ディスク２０への記録、ディスク取出口７ｂからの光ディスク２０の排出を説明するための図であり、（１０Ａ）はディスク装填口７ａ側からディスク処理部８の内部を見た図であり、（１０Ｂ）は光ディスク処理装置１の上方からディスク処理部８の内部を見た図である。
【００６５】
印刷室１０５および記録室１０６には、それぞれ、光ディスク２０を載置するためのディスクトレイ１１０および１１１が備えられている。図１０（１０Ａ）に示すように、両ディスクトレイ１１０，１１１は、共に、隔壁１００側を解放した形状を有している。また、両ディスクトレイ１１０，１１１は、上から見ると、図１０（１０Ｂ）に示すように、記録室１０６側を上にするＵ字形状の凹部１１２を備えている。また、ディスクトレイ１１０の隔壁１００側には、上下動壁１１３が備えられている。この上下動壁１１３は、印刷時に、ディスクトレイ１１０の隔壁１００側に接しており、光ディスク２０がディスクトレイ１１０上で動かないようになっている。上下動壁１１３は、図７に示すモータ９１で駆動されている。
【００６６】
また、図１０（１０Ａ）に示すように、ディスクトレイ１１０の左側には、光ディスク２０を記録室１０６へと搬送させる光ディスク搬送手段の一つである押圧部材１１４が配置されている。押圧部材１１４は、図７に示す光ディスク搬送手段の一つであるモータ９２で駆動されている。図１０（１０Ｂ）に示すように、押圧部材１１４の押圧面１１４ａは、光ディスク２０の側面に合わせてゆるやかに湾曲した形状を呈している。ディスクトレイ１１０の左側壁面には、図示されていないが、押圧部材１１４が直接、光ディスク２０に接触できるような孔があけられている。
【００６７】
一方、記録室１０６の上方には、上下動可能なディスクセッティング部材１１５が備えられている。このディスクセッティング部材１１５は、記録室１０６に搬送されてきた光ディスク２０の中央孔に、スピンドルモータ３１のモータ軸３１ａを嵌め込むために上から圧力をかける部材である。このディスクセッティング部材１１５は、図７に示すモータ９３で駆動されている。光ディスク２０は、ディスクトレイ１１１の円形凹部１１６に入った後、ディスクセッティング部材１１５の押圧を受けて、モータ軸３１ａに固定される。また、スピンドルモータ３１の上昇動作は、図７に示すモータ９４で駆動されている。記録処理が終了すると、光ディスク２０は、ディスク取出口７ｂから排出される。この排出動作は、図７に示すモータ９５によって行われる。
【００６８】
次に、第２の実施の形態の光ディスク処理装置１における光ディスク２０の処理動作について、図１０に基づいて簡単に説明する。
【００６９】
ディスク装填口７ａより矢印Ｍの方向に挿入された光ディスク２０がディスクトレイ１１０に正常に載置すると、上下動壁１１３が矢印Ｎの方向に上昇する。次に、ディスクトレイ１１０は、一点鎖線で示す光ディスク２０の位置から実線で示す光ディスク２０の位置へと矢印Ｏ方向に移動する。この移動と合わせて、矢印Ｐで示すように、印刷ヘッド３５が主走査方向に往復移動する。
【００７０】
ラベル面への印刷が終了すると、上下動壁１１３が矢印Ｑの方向に下降し、続いて、押圧部材１１４が矢印Ｒの方向に移動する。これによって、光ディスク２０は、矢印Ｓで示すように、印刷室１０５から記録室１０６へと搬送される。次に、矢印Ｔで示すように、ディスクトレイ１１１の凹部１１６に載置された光ディスク２０の上方から、ディスクセッティング部材１１５が下降する。この際、スピンドルモータ３１が矢印Uの方向に移動するようにしても良い。これによって、光ディスク２０は、モータ軸３１ａに固定される。次に、スピンドルモータ３１が矢印Ｖの方向に回転し、光ヘッド３０がＷの方向に移動して、記録処理が行われる。記録処理が終了すると、光ディスク２０は、矢印Ｘの方向に駆動され、ディスク取出口７ｂから排出される。
【００７１】
このように、第１の実施の形態と異なり、印刷室１０５と記録室１０６とを水平方向に分離しても、記録時において、印刷により発生したインクミストの影響を低減することができる。
【００７２】
また、第２の実施の形態を採用すると、記録室１０６において記録処理を実行している最中に、印刷室１０５に別の光ディスク２０を装填し、印刷処理を実行することができる。このため、複数枚の光ディスク２０に対して印刷と記録を行う場合には、連続運転できる。したがって、印刷および記録処理のトータルの時間の短縮を図ることができる。
【００７３】
（第３の実施の形態）  
次に、第３の実施の形態の光ディスク処理装置１について説明する。なお、第３の実施の形態の光ディスク処理装置１において、第１の実施の形態の光ディスク処理装置１と共通する部分については、同じ番号を付すと共に、その説明を省略する。
【００７４】
図１１は、第３の実施の形態の光ディスク処理装置１内部のディスク処理部８に備えられる制御回路５０を説明するための図である。
【００７５】
図１１と図３とを比較すると明らかなように、両制御回路５０の構成の大部分は共通しているが、一部異なる部分がある。具体的には、第３の実施の形態の光ディスク処理装置１の制御回路５０には、印刷処理後のラベル面を乾燥させるために必要な電熱回路１２０が設けられている。この電熱回路１２０は、乾燥機１２１と接続されており、印刷後の光ディスク２０に対して温風を送るための制御を行っている。また、第３の実施の形態の光ディスク処理装置１の制御回路５０は、送気ファン５１および排気ファン５２の代わりに、後述の各種モータ１２２，１２３を制御している。ただし、送気ファン５１および排気ファン５２を設けて、これらファン５１，５２と後述の各種モータ１２２，１２３の両者を制御しても良い。
【００７６】
図１２は、ディスク処理部８内における光ディスク２０の移動の様子を説明するための図であり、光ディスク処理装置１の上方から見た図である。
【００７７】
第３の実施の形態の光ディスク処理装置１のディスク処理部８には、光ディスク循環搬送手段の一つであるモータ１２２によって矢印Ｙ方向に回転する円形の回転テーブル１３０が備えられている。この回転テーブル１３０は、光ディスク循環搬送手段の一つであり、隔壁１３１によって３つの部屋に分割されている。最もディスク装填口７に近い部屋は、乾燥室１３２である。乾燥室１３２の次に光ディスク２０が搬送される部屋は、印刷室１３３である。印刷室１３３の次に光ディスク２０が搬送される部屋は、記録室１３４である。隔壁１３１には、光ディスク２０の搬送時に開閉する扉（図示省略）が設けられている。扉は、第２の実施の形態において説明した形態の上下開閉扉１０１と同様のものであっても良いし、それ以外の形態の扉でも良い。
【００７８】
ここで、第３の実施の形態の光ディスク処理装置１における光ディスク２０の処理動作について、図１２に基づいて簡単に説明する。
【００７９】
ディスク装填口７より矢印Ａの方向に挿入された光ディスク２０が乾燥室１３２のディスクトレイ２１に正常に載置されると、回転テーブル１３０は、モータ１２２の駆動により図中の矢印Ｙ方向に回転する。この結果、光ディスク２０は、ディスクトレイ２１と共に隔壁１３１の扉から隣の印刷室１３３へと搬送される。なお、光ディスク２０のみを各部屋に搬送しても良い。
【００８０】
印刷室１３３に搬送された光ディスク２０は、ディスクトレイ２１と共に、矢印Ｂで示す一点鎖線の位置に移動した後、矢印Ｃで示す方向に移動する。当該矢印Ｃで示す方向に移動している間、印刷ヘッド３５は矢印Ｄで示すように往復駆動され、光ディスク２０のラベル面への印刷処理が実行される。印刷が終了すると、光ディスク２０は、ディスクトレイ２１と共に隔壁１３１の扉から隣の記録室１３４へと搬送される。
【００８１】
記録室１３４では、第２の実施の形態で説明した機構と同じ機構によって、光ディスク２０とスピンドルモータ３１とが固定され、光ディスク２０は、矢印Ｅの方向に回転する。一方、光ディスク２０が回転している最中、光ディスク２０の記録面側に配置された光ヘッド３０は、光ディスク２０の径方向（矢印Ｆ方向）に移動し、画像データ等の記録処理を行う。記録が終了すると、光ディスク２０は、ディスクトレイ２１と共に隔壁１３１の扉から隣の乾燥室１３２へと搬送される。
【００８２】
乾燥室１３２では、乾燥機１２１から温風が吹き出して、光ディスク２０のラベル面の乾燥が行われる。所定時間経過後、光ディスク２０は、ディスク装填口７から、矢印Ｇに示す方向に排出される。
【００８３】
このように、乾燥室１３２を設けることにより、未乾燥状態の光ディスク２０を排出しないようにすることができる。乾燥室１３２は、記録後の光ディスク２０を搬送する部屋としているが、印刷後に搬送する部屋としても良い。すなわち、上述のような印刷、記録、乾燥の順番ではなく、印刷室１３３の次に乾燥室１３２、乾燥室１３２の次に記録室１３４を配置し、印刷、乾燥、記録の順番に光ディスク２０を搬送しても良い。
【００８４】
このような順番で処理を行うと、乾燥後の光ディスク２０が記録室１３４に搬送されることになるので、インクミストの影響の問題は発生しにくい。さらに、印刷室１３３と記録室１３４の間に乾燥室１３２を設けると、印刷室１３３からのインクミストが記録室１３４に侵入する確率が少なくなる。なお、ディスク装填口７は、印刷室１３３の前方あるいは記録室１３４の前方に設けても良い。また、光ディスク２０を、記録、印刷、乾燥の順に搬送できるように、回転テーブル１３０を矢印Yと反対方向に回転させるようにしても良い。
【００８５】
また、第３の実施の形態では、乾燥室１３２を設けずに、回転テーブル１３０を印刷室１３３と記録室１３４に二分して、印刷後に記録をするようにしても良い。このような構成は、第２の実施の形態の光ディスク処理装置１の構成と類似している。しかし、第３の実施の形態では、光ディスク２０の出入口が一つであるため、ディスクトレイ２１を各部屋の数だけ用意しておくと、ディスクトレイ２１を、印刷室１３３から記録室１３４、記録室１３４から印刷室１３３へと循環搬送できる。
【００８６】
次に、上述の各光ディスク処理装置１を用いた印刷および記録処理について、図面を参照して説明する。
【００８７】
図１３は、画像データ等のデータを格納する外部機器から当該データを受け取る方法を説明するための図である。
【００８８】
図１３（１３Ａ）に示すように、カメラ付き携帯電話１４０にて撮影した写真の画像データを光ディスク２０に記録し、あるいは印刷する場合には、カメラ付き携帯電話１４０の接続口１４１に光ディスク処理装置１の接続ポート（ここでは、多ピンのコネクタとする。）４７を接続して、データの送り動作を行う。また、図１３（１３Ｂ）に示すように、データの供給元がディジタルカメラ１４２の場合には、ディジタルカメラ１４２の接続口１４３に光ディスク処理装置１の接続ポート４６を接続して、データの送り動作を行う。さらに、データの供給元がカード状のディスク等の情報記録媒体４５の場合には、当該情報記録媒体４５をデータ入出ユニット４３の装填口１１から挿入して、データの送り動作を行う。
【００８９】
次に、本発明の第１の実施の形態の光ディスク処理装置１を使用した場合を例に、光ディスク２０の処理方法（光ディスク処理方法）につき説明する。
【００９０】
図１４から図１６は、本発明の第１の実施の形態の光ディスク処理装置１を使用した光ディスク処理における、ディスプレイ４に表示される画面の流れの一例を示す図である。また、図１７および図１８は、当該光ディスク処理方法の流れを示すフローチャートである。
【００９１】
まず、ユーザが所定の料金を光ディスク処理装置１に投入すると、図１４に示す画面１５０がディスプレイ４に表示される。この画面１５０には、データの供給元の選択を促すメッセージ１５１と、選択指示可能な複数の画像（この実施の形態では、「Ａ」、「Ｂ」および「Ｃ」の３種類の画像）１５２とが表示されている。「Ａ」の画像１５２は、カメラまたは携帯電話からデータを送る場合に選択する画像である。「Ｂ」の画像１５２は、カード状のディスクからデータを送る場合に選択する画像である。「Ｃ」の画像１５２は、インターネットを介して外部のサーバからデータを送る場合に選択する画像である。
【００９２】
ユーザが上述のいずれかの画像１５２をポインティングデバイス等により選択すると、光ディスク処理装置１は、この選択指示を受け付ける（ステップＳ３０１）。例えば、ユーザが、画面１５０に表示される「Ａ」の画像１５２を選択指示した場合には、図１４に示す画面１６０が表示される。この画面１６０には、カメラ又は携帯電話の接続を促すメッセージ１６１と、ＯＫボタン１６２と、取消ボタン１６３と、戻りボタン１６４と、カメラを接続する場合の手順あるいは接続場所等の説明欄１６５と、携帯電話を接続する場合の手順あるいは接続場所等の説明欄１６６とが表示されている。
【００９３】
ここで、ＯＫボタン１６２は、画面の指示に従った操作を行った後に選択指示する画像ボタンである。取消ボタン１６３は、一旦行った選択指示を取り消す画像ボタンであるが、この画面１６０では選択指示不可の状態となっている。戻りボタン１６４は、前の画面に戻る場合に押す画像ボタンである。これらの画像ボタン１６２〜１６４は、ポインティングデバイス等により選択指示可能なボタンである。ユーザが、説明欄１６５を見ながら携帯電話を光ディスク処理装置１の接続ポート４７に接続して、ＯＫボタン１６２を指示すると、光ディスク処理装置１は、カメラ・携帯電話が接続、又はカード状のディスクが挿入されたかを判別する（ステップＳ３０２）。
【００９４】
ユーザがカメラ若しくは携帯電話を接続し、またはカード状のディスクを挿入した場合には、光ディスク処理装置１は、これらの媒体からデータを受け取る処理を実行する（ステップＳ３０３）。一方、ユーザが画面１５０において、「Ｃ」の画像１５２を選択指示した場合には、光ディスク処理装置１は、インターネットへの接続を行い（ステップＳ３０４）、ユーザ指定のアドレスにて特定されるサーバのデータファイルから、画像データ等のデータをダウンロードする（ステップＳ３０５）。
【００９５】
光ディスク処理装置１は、外部から画像データ等を受け取ると、当該画像データ等をディスプレイ４に一覧表示する（ステップＳ３０６）。図１４に示す画面１７０は、ステップＳ３０６の処理後の画面の一例を示す。画面１７０には、印刷用の画像等の選択指示を促すメッセージ１７１と、画面１６０と同様のＯＫボタン１６２と、取消ボタン１６３と、戻りボタン１６４と、画像データ等１７２と、続きボタン１７３とが表示されている。
【００９６】
ここで、取消ボタン１６３は、画像データ等１７２の選択指示を最初からやり直す場合に選択するボタンである。ＯＫボタン１６２と戻りボタン１６４については、画面１５０にて説明したものと同様のボタンなので、その説明を省略する。続きボタン１７３は、画像データ等１７２の全てを画面１７０に表示できない場合に、選択指示可能に表示される画像ボタンである。この続きボタン１７３を選択指示すると、次の画面が表示され、別の画像データ等１７２を見ることができる。なお、画像データ等１７２が１つの画面１７０に表示できる場合には、続きボタン１７３は選択指示できない状態で表示されるか、若しくは全く表示されない。
【００９７】
ユーザは、表示されている画像データ等１７２の中から印刷を希望する画像を選択する。図１４に示す画面１７０では、斜線の画像データ等１７２が選択指示された状況が示されている。画像データ等１７２の選択指示は、取消ボタン１６３を押して何度もやり直すことができる。ただし、取消ボタン１６３を選択指示せずに、一度選択指示した画像データ等１７２を再度選択指示することにより、選択指示を取り消すようにしても良い。
【００９８】
ユーザが画像データ等１７２を選択指示し、かつＯＫボタン１６２を選択指示すると、光ディスク処理装置１は、ユーザが選択指示した画像データ等１７２を印刷用のデータとして受け付ける（ステップＳ３０７）。
【００９９】
画面１７０に続いて、画面１８０が表示される。画面１８０には、画像データ等の加工の要否を促すメッセージ１８１と、加工する場合に選択指示するボタン１８２と、加工を行わない場合に選択指示するボタン１８３と、光ディスク２０の挿入を促すメッセージ１８４と、戻りボタン１６４とが表示されている。戻りボタン１６４については、前述と同様のボタンなので、その説明を省略する。
【０１００】
ユーザがボタン１８２若しくはボタン１８３を選択指示すると、光ディスク処理装置１は、加工の指示があったかどうかを判別する（ステップＳ３０８）。その結果、ユーザがボタン１８２を選択指示した場合には、図１５に示す画面１９０を表示して、ユーザの加工指示に従って編集データの準備を行う（ステップＳ３０９）。一方、ユーザがボタン１８３を選択指示した場合には、ステップＳ３０９をスキップして、ステップＳ３１０以降のステップに進む。
【０１０１】
画面１９０は、画像データ等１７２に加工を行う際に表示する画面の一例である。この画面１９０には、加工を要求するメッセージ１９１と、光ディスク２０を模したディスク画像１９２と、ＯＫボタン１６２と、取消ボタン１６３と、戻りボタン１６４とが表示されている。初期のディスク画像１９２には、画像データ等１７２が表示されているが、ユーザの加工指示にしたがって、ユーザが追加したい画像１９３および文字１９４が描かれる。
【０１０２】
ユーザが所望の加工を完了して、画面１９０に表示されているＯＫボタン１６２を選択指示すると、光ディスク処理装置１は、ラベル面への印刷処理を開始する（ステップＳ３１０）。また、光ディスク処理装置１は、ステップＳ３１１と並行して、画像データ等の一覧表示を行う（ステップＳ３１１）。
【０１０３】
図１５に示す画面２００は、記録面に記録するための画像データ等を一覧表示する画面の一例を示す図である。この画面２００には、記録用の画像データ等の選択指示を促すメッセージ２０１と、ＯＫボタン１６２と、取消ボタン１６３と、戻りボタン１６４と、画像データ等２０２と、続きボタン２０３と、印刷中であることを明示する表示ボックス２０４とが表示されている。続きボタン２０３は、前述の続きボタン１７３と同様のボタンなので、その説明を省略する。
【０１０４】
ユーザは、表示されている画像データ等２０２の中から記録を希望する画像データ等を選択する。図１５に示す画面２００では、斜線の画像データ等２０２が選択指示された状況が示されている。画像データ等２０２の選択指示は、取消ボタン１６３を押して何度もやり直すことができる。ただし、取消ボタン１６３を選択指示せずに、一度選択指示した画像データ等２０２を再度選択指示することにより、選択指示を取り消すようにしても良い。また、記録を希望しない画像データ等２０２を選択指示するようにしても良い。
【０１０５】
ユーザが記録用の画像データ等２０２を選択指示している間、ラベル面への印刷処理が進行しており、画面２００の表示ボックス２０４に、印刷中であることを明示する表示が行われている。画面２００において、ユーザが画像データ等１７２を選択指示し、かつＯＫボタン１６２を選択指示すると、光ディスク処理装置１は、ユーザが選択指示した画像データ等２０２を記録用のデータとして受け付ける（ステップＳ３１２）。ユーザがＯＫボタン１６２を押すまでに印刷が終了した場合には、表示ボックス２０４に、印刷終了の旨の表示が行われる。一方、ユーザがＯＫボタン１６２を押すまでに印刷が終了していない場合には、表示ボックス２０４に、印刷中である旨の表示が継続される。
【０１０６】
ユーザがＯＫボタン１６２を押した後に印刷が終了した場合には、図１６に示す画面２１０が表示される。画面２１０には、印刷が終了した旨のメッセージ２１１が表示されている。続いて、光ディスク処理装置１は、ラベル面の乾燥を行う（ステップＳ３１３）。また、光ディスク処理装置１は、ステップＳ３１３と並行して、記録面への記録処理を実行する（ステップＳ３１４）。ステップＳ３１４に移行すると、図１５に示す画面２１０から画面２２０に変わる。画面２２０には、データの記録中であることを明示するメッセージが表示されている。
【０１０７】
ステップＳ３１３とステップＳ３１４が終了すると、光ディスク２０への処理の全行程が終了し、図１５に示す画面２３０が表示される。画面２３０には、印刷および記録処理の終了を明示すると共に光ディスク２０の取り出しを促すメッセージ２３１が表示されている。
【０１０８】
次に、本発明の第２の実施の形態の光ディスク処理装置１を使用した光ディスク２０の処理方法（光ディスク処理方法）について説明する。
【０１０９】
図１９は、第２の実施の形態の光ディスク処理装置１を用いた光ディスク処理方法の流れの一部を示すフローチャートである。なお、この光ディスク処理方法において、図１７および図１８に示すフローチャートと共通の処理工程であるステップＳ３０１〜ステップＳ３１２までの各ステップについては、その説明を省略する。
【０１１０】
図１９におけるラベル面への印刷（ステップＳ３１０）とユーザからの記録用の画像データ等の受付（ステップＳ３１２）が終了すると、光ディスク処理装置１は、光ディスク２０を印刷室１０５から記録室１０６へと搬送する（ステップＳ３１３）。続いて、光ディスク処理装置１は、スピンドルモータ３１に光ディスク２０をセットする（ステップＳ３１４）。次に、光ディスク処理装置１は、光ディスク２０の記録面への記録処理（書き込み処理）を行う（ステップＳ３１５）。なお、ステップＳ３１５と並行して、光ディスク２０のラベル面の乾燥処理を行うようにしても良い。その場合には、記録室１０６の内部に、乾燥機を備えると良い。
【０１１１】
次に、本発明の第３の実施の形態の光ディスク処理装置１を使用した光ディスク２０の処理方法（光ディスク処理方法）について説明する。
【０１１２】
図２０は、第３の実施の形態の光ディスク処理装置１を用いた光ディスク処理方法の流れの一部を示すフローチャートである。なお、この光ディスク処理方法において、図１７および図１８に示すフローチャートと共通の処理工程であるステップＳ３０１〜ステップＳ３１２までの各ステップについては、その説明を省略する。
【０１１３】
図２０におけるラベル面への印刷（ステップＳ３１０）とユーザからの記録用の画像データ等の受付（ステップＳ３１２）が終了すると、光ディスク処理装置１は、光ディスク２０を印刷室１３３から記録室１３４へと搬送する（ステップＳ３１３）。続いて、光ディスク処理装置１は、スピンドルモータ３１に光ディスク２０をセットする（ステップＳ３１４）。次に、光ディスク処理装置１は、光ディスク２０の記録面への記録処理（書き込み処理）を行う（ステップＳ３１５）。次に、光ディスク処理装置１は、光ディスク２０を乾燥室１３２に搬送し（ステップＳ３１６）、乾燥機１２１を起動して光ディスク２０のラベル面の乾燥処理を行う（ステップＳ３１７）。なお、ステップＳ３１７において、乾燥機１２１を起動せずに、乾燥室１３２に光ディスク２０を単に搬送して、ラベル面を自然乾燥させるようにしても良い。
【０１１４】
次に、本発明の第１の実施の形態の光ディスク処理装置１を使用した光ディスク２０の別の処理方法（光ディスク処理方法）について説明する。この光ディスク処理方法は、記録面への記録の後に印刷処理を行う方法である点において、図１７および図１８に示す処理方法と異なる。
【０１１５】
図２１および図２２は、第１の実施の形態の光ディスク処理装置１を用い、記録処理の後に印刷処理を行う光ディスク処理方法の流れを示すフローチャートである。なお、図２１におけるステップＳ４０１〜ステップＳ４０６は、図１７におけるステップＳ３０１〜ステップＳ３０６と同じ処理であるため、その説明を省略する。
【０１１６】
ステップＳ４０６の後、光ディスク処理装置１は、ユーザから記録用の画像データ等を受け付ける（ステップＳ４０７）。続いて、光ディスク処理装置１は、記録面への記録処理（書き込み処理）を実行する（ステップＳ４０８）。光ディスク処理装置１は、ステップＳ４０８と並行して、印刷用の画像データ等の一覧表示を行う（ステップＳ４０９）。ステップＳ４０８に続いて、光ディスク処理装置１は、ユーザが選択指示した画像データ等を印刷用のデータとして受け付ける（ステップＳ４１０）。
【０１１７】
次に、光ディスク処理装置１は、加工の指示があったかどうかを判別する（ステップＳ４１１）。その結果、ユーザが加工を選択指示した場合には、光ディスク処理装置１は、ユーザの加工指示に従って編集データの準備を行う（ステップＳ４１２）。一方、ユーザが加工を選択指示しなかった場合には、ステップＳ４１２をスキップして、ステップＳ４１３に進む。ステップＳ４０８とステップＳ４１２が完了すると、光ディスク処理装置１は、ラベル面への印刷処理を行う（ステップＳ４１３）。なお、図４あるいは図５に示す印刷室８０に乾燥機を設けて、ステップＳ４１３の後にステップＳ４１４としてラベル面の乾燥処理を行うようにしても良い。
【０１１８】
次に、第２の実施の形態の光ディスク処理装置１と類似の構成を備え、記録室にて光ディスク２０に記録を行ってから、印刷室へと光ディスク２０を搬送してラベル面への印刷を行う光ディスク処理装置を使用した光ディスク２０の処理方法（光ディスク処理方法）について説明する。この光ディスク処理方法は、記録面への記録の後に印刷処理を行う方法である点において、図１９に示す光ディスク処理方法と異なる。
【０１１９】
図２３は、第２の実施の形態の光ディスク処理装置１と類似の構成を備え、記録室にて光ディスク２０に記録を行ってから、印刷室へと光ディスク２０を搬送してラベル面への印刷を行う光ディスク処理装置をを用い、記録処理の後に印刷処理を行う光ディスク処理方法の流れを示すフローチャートである。なお、図２３におけるステップＳ４１３より前の工程は、図２１および図２２におけるステップＳ４０１〜ステップＳ４１２と同じ処理であるため、その説明を省略する。
【０１２０】
ステップＳ４１２の後、光ディスク処理装置は、記録室内の光ディスク２０を印刷室へと搬送する（ステップＳ４１３）。次に、光ディスク処理装置は、光ディスク２０のラベル面への印刷を実行する（ステップＳ４１４）。なお、印刷室に乾燥機を設けて、ステップＳ４１４の後にステップＳ４１５としてラベル面の乾燥処理を行うようにしても良い。また、ステップＳ４１５において、乾燥機を起動せずに、印刷室内にてラベル面を自然乾燥させるようにしても良い。
【０１２１】
次に、本発明の第３の実施の形態の光ディスク処理装置１と類似の構成を備え、記録室にて光ディスク２０に記録を行ってから、印刷室へと光ディスク２０を搬送してラベル面への印刷を行う光ディスク処理装置を使用した光ディスク２０の処理方法（光ディスク処理方法）について説明する。この光ディスク処理方法は、記録面への記録の後に印刷処理を行う方法である点において、図２０に示す光ディスク処理方法と異なる。
【０１２２】
図２４は、本発明の第３の実施の形態の光ディスク処理装置１と類似の構成を備え、記録室にて光ディスク２０に記録を行ってから、印刷室へと光ディスク２０を搬送してラベル面への印刷を行う光ディスク処理装置を使用した光ディスク処理方法の流れを示すフローチャートである。なお、図２４におけるステップＳ４１３より前の工程は、図２１および図２２におけるステップＳ４０１〜ステップＳ４１２と同じ処理であるため、その説明を省略する。
【０１２３】
ステップＳ４１２の後、光ディスク処理装置は、記録室内の光ディスク２０を印刷室へと搬送する（ステップＳ４１３）。次に、光ディスク処理装置は、光ディスク２０のラベル面への印刷を実行する（ステップＳ４１４）。次に、光ディスク処理装置は、印刷室内の光ディスク２０を乾燥室へと搬送する（ステップＳ４１５）。次に、光ディスク処理装置は、乾燥室にて光ディスク２０のラベル面の乾燥を行う（ステップＳ４１６）。なお、ステップＳ４１６において、乾燥機を起動せずに、乾燥室に光ディスク２０を単に搬送して、ラベル面を自然乾燥させるようにしても良い。
【０１２４】
次に、コンピュータに読み取り可能なプログラムについて説明する。
【０１２５】
本発明で使用するコンピュータに読み取り可能なプログラム（以後、単に、「プログラム」という。）は、ハードウェアとの協働の下、図１４から図２４に基づいて先に説明した光ディスク処理装置１の各種処理を実行させるプログラムである。このプログラムは、図３、図７および図１１に示されるＥＥＰＲＯＭ６５に格納されている。同図中のＣＰＵ６１は、ＥＥＰＲＯＭ６５にアクセスして、本発明のプログラムを読み、各種の処理を実行している。
【０１２６】
上述の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）、フレキシブルディスク（ＦＤ）、磁気テープ等がある。光ディスクには、ＤＶＤ、ＤＶＤ−ＲＡＭ（Random Access Memory）、ＣＤ−ＲＯＭ、ＣＤ−Ｒ（Recordable）／ＲＷ（ReWritable）等がある。光磁気記録媒体には、ＭＯ等がある。
【０１２７】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１２８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１２９】
以上、本発明の各実施の形態について説明したが、本発明は、上述の各実施の形態に限定されることなく、種々変形を施した形態にて実施可能である。
【０１３０】
第１駆動手段として、光ヘッド３０を固定して光ディスク２０の方を駆動するモータを採用しても良い。また、隔壁は、ディスクトレイ２１を含めたものでも良い。さらに、気圧上昇手段として、送気ファン５１のみ、あるいは排気ファン５２のみを採用しても良い。回転テーブル１３０を均等に３分割せずに、乾燥室１３２、印刷室１３３、記録室１３４の領域の広さに差を設けても良い。
【図面の簡単な説明】
【０１３１】
【図１】第１の実施の形態の光ディスク処理装置の外観斜視図。
【図２】図１の光ディスク処理装置の内部構造を説明する図。
【図３】図２に示す制御回路を説明する図。
【図４】図１に示すディスク処理部の内部を光ディスクの横方向から見た図。
【図５】図４に示すディスク処理部の変形例を示す図。
【図６】第２の実施の形態の光ディスク処理装置の外観斜視図。
【図７】図６に示すディスク処理部に備えられる制御回路を説明する図。
【図８】図６に示すディスク処理部内の光ディスクの移動状況を説明する図。
【図９】図８に示す上下開閉扉が開いて、光ディスクが搬送される状況を示す図。
【図１０】図６のディスク装填口から挿入された光ディスク２０の動作を示す図。
【図１１】第３の実施の形態の光ディスク処理装置の制御回路を説明する図。
【図１２】図１１に示す光ディスク処理装置における光ディスクの移動を説明する図。
【図１３】外部機器から当該データを受け取る方法を説明するための図。
【図１４】光ディスク処理方法を実行した際における表示画面の流れの一例を示す図。
【図１５】図１４に続く画面の流れを示す図。
【図１６】図１５に続く画面の流れを示す図。
【図１７】第１の実施の形態の光ディスク処理方法の流れを示すフローチャート。
【図１８】図１７に続く光ディスク処理方法の流れを示すフローチャート。
【図１９】第２の実施の形態の光ディスク処理方法の一部を示すフローチャート。
【図２０】第３の実施の形態の光ディスク処理方法の一部を示すフローチャート。
【図２１】第４の実施の形態の光ディスク処理方法の流れを示すフローチャート。
【図２２】図２１に続くフローチャート。
【図２３】第５の実施の形態の光ディスク処理方法の一部を示すフローチャート。
【図２４】第６の実施の形態の光ディスク処理方法の一部を示すフローチャート。
【符号の説明】
【０１３２】
１光ディスク処理装置、  ２０光ディスク、  ２３トレイ駆動モータ（第２駆動手段）、２７送りモータ（第１駆動手段）、３０光ヘッド、３１スピンドルモータ（モータ）、３５印刷ヘッド、３９キャリッジモータ（第３駆動手段）、５０制御回路（制御手段）、５１送気ファン（気圧上昇手段）、５２排気ファン（気圧上昇手段）、８０印刷室、８０ａ印刷エリア、８０ｂ記録エリア、８１記録室、８２隔壁、８４光ヘッド保護部（光ヘッド保護手段）、８５処理室、９２モータ（光ディスク搬送手段）、１００隔壁、１０５印刷室、１０６記録室、１１４押圧部材（光ディスク搬送手段）、１２２モータ（光ディスク循環搬送手段）、１３０回転テーブル（光ディスク循環搬送手段）、１３１隔壁、１３２乾燥室、１３３  印刷室、１３４記録室
【図１】
2005251325.tif 000003
【図２】
2005251325.tif 000004
【図３】
2005251325.tif 000005
【図４】
2005251325.tif 000006
【図５】
2005251325.tif 000007
【図６】
2005251325.tif 000008
【図７】
2005251325.tif 000009
【図８】
2005251325.tif 000010
【図９】
2005251325.tif 000011
【図１０】
2005251325.tif 000012
【図１１】
2005251325.tif 000013
【図１２】
2005251325.tif 000014
【図１３】
2005251325.tif 000015
【図１４】
2005251325.tif 000016
【図１５】
2005251325.tif 000017
【図１６】
2005251325.tif 000018
【図１７】
2005251325.tif 000019
【図１８】
2005251325.tif 000020
【図１９】
2005251325.tif 000021
【図２０】
2005251325.tif 000022
【図２１】
2005251325.tif 000023
【図２２】
2005251325.tif 000024
【図２３】
2005251325.tif 000025
【図２４】
2005251325.tif 000026